(57)【要約】【課題】携帯性とユーザの利便性とを両立したウェアラブル端末装置を提供する。【解決手段】ウェアラブル端末ウェアラブル端末装置１は、表示部１２と、外部装置５と無線通信する通信部１３と、処理部であるプロセッサ１０と、を備え、処理部は、外部装置の有する表示部５２用の画面データＤ５１を生成し、通信部に外部装置に対して送信させる。【選択図】図４
2020135451.tif 000002
【特許請求の範囲】
【請求項１】
第１の表示部と、
外部装置と無線通信する通信部と、
処理部と、を備え、
前記処理部は、前記外部装置の有する第２の表示部用の画面データを生成し、前記通信部に前記外部装置に対して送信させる
ウェアラブル端末装置。
【請求項２】
１以上のアプリケーションがインストールされており、
前記画面データに従って前記第２の表示部に表示された画面は、前記アプリケーションの操作用のアイコンを含み、
前記処理部は、前記外部装置からの前記アイコンに対する操作を示す信号を受信することによって前記アプリケーションを実行する
請求項１に記載のウェアラブル端末装置。
【請求項３】
前記第１の表示部に一画面に表示される操作用のアイコンの数と、前記第２の表示部に一画面に表示される操作用のアイコンの数とが異なる
請求項１又は２に記載のウェアラブル端末装置。
【請求項４】
同一のアプリケーションについての、前記第１の表示部の画面に表示される操作用のアイコンの形状と、前記第２の表示部の画面に表示される操作用のアイコンの形状とが異なる
請求項１〜請求項３のいずれ一項に記載のウェアラブル端末装置。
【請求項５】
前記第１の表示部に表示される画面と前記第２の表示部に表示される画面とは、異なる画面遷移を有する
請求項１〜請求項４のいずれか一項に記載のウェアラブル端末装置。
【請求項６】
前記第１の表示部の画面での操作用のアイコンのレイアウトと、前記第２の表示部の画面での操作用のアイコンのレイアウトとが異なる
請求項１〜請求項５のいずれか一項に記載のウェアラブル端末装置。
【請求項７】
実行中にアプリケーション画面の表示を伴うアプリケーションがインストールされており、
前記処理部は、前記アプリケーションを実行することによって、前記アプリケーション画面用の画面データであって、前記第１の表示部に前記アプリケーション画面を表示させる第１の画面データと、前記第２の表示部に前記アプリケーション画面を表示させる第２の画面データと、の両画面データを生成可能である
請求項１〜請求項６のいずれか一項に記載のウェアラブル端末装置。
【請求項８】
実行中にアプリケーション画面の表示を伴うアプリケーションがインストールされており、
前記処理部は、前記アプリケーションを実行することによって、前記アプリケーション画面用の画面データであって、前記第１の表示部に前記アプリケーション画面を表示させる第１の画面データと、前記第２の表示部に前記アプリケーション画面を表示させる第２の画面データと、のうちの一方の画面データを生成し、他方の画面データを生成しない
請求項１〜請求項７のいずれか一項に記載のウェアラブル端末装置。
【請求項９】
前記アプリケーションは、電話用のアプリケーションである
請求項７又は８に記載のウェアラブル端末装置。
【請求項１０】
実行中にアプリケーション画面の表示を伴うアプリケーションがインストールされており、
前記処理部は、オペレーティングシステムを実行することによって、前記アプリケーション画面用の画面データであって、前記第１の表示部に前記アプリケーション画面を表示させる第１の画面データと、前記第２の表示部に前記アプリケーション画面を表示させる第２の画面データと、の両画面データを生成可能である
請求項１〜請求項６のいずれか一項に記載のウェアラブル端末装置。
【請求項１１】
身体情報を測定するセンサと、
前記センサによって測定された身体情報を記憶するメモリと、をさらに備え、
前記外部装置がマッサージチェアである場合、前記処理部は、無線通信を開始する際に、前記通信部に前記外部装置に対して、前記メモリに記憶されている前記身体情報を示すデータを送信させる
請求項１〜請求項１０のいずれか一項に記載のウェアラブル端末装置。
【請求項１２】
第１の表示部を有し、外部装置と無線通信可能なウェアラブル端末装置に搭載されたプロセッサに処理を実行させるアプリケーションプログラムであって、
実行中にアプリケーション画面の表示を伴うアプリケーションプログラムであり、
前記処理は、
前記第１の表示部に前記アプリケーション画面を表示させる第１の画面データを生成する処理と、
前記外部装置の有する第２の表示部に前記アプリケーション画面を表示させる第２の画面データを生成する処理と、
前記外部装置に対して無線通信で、前記第２の画面データを送信する処理と、を含む
アプリケーションプログラム。
【請求項１３】
第１の表示部を有し、外部装置と無線通信可能なウェアラブル端末装置に搭載されたプロセッサに処理を実行させるプログラムを含むオペレーティングシステムであって、
前記ウェアラブル端末装置に実行中にアプリケーション画面の表示を伴うアプリケーションがインストールされており、
前記処理は、
前記第１の表示部に前記アプリケーション画面を表示させる第１の画面データを生成する処理と、
前記外部装置の有する第２の表示部に前記アプリケーション画面を表示させる第２の画面データを生成する処理と、
前記外部装置に対して無線通信で、前記第２の画面データを送信する処理と、を含む
オペレーティングシステム。
【請求項１４】
無線通信可能な、第１の表示部を有するウェアラブル端末装置と、第２の表示部を有する外部装置と、を含む表示システムにおける、前記第２の表示部での表示を制御する方法であって、
前記ウェアラブル端末装置の処理において、前記第２の表示部用の画面データを生成するステップと、
前記ウェアラブル端末装置から前記外部装置に、前記画面データを前記無線通信によって送信するステップと、を備える
表示制御方法。
【発明の詳細な説明】
【技術分野】
【０００１】
本開示はウェアラブル端末装置、アプリケーションプログラム、オペレーティングシステム、及び、表示制御方法に関する。
【背景技術】
【０００２】
腕時計型などのウェアラブル端末装置が普及している。そのようなウェアラブル端末装置では、インストールされているアプリケーションによって、メールを送受信したり、通話したりすることができる。これにより、ユーザの利便性が高められる。
【先行技術文献】
【特許文献】
【０００３】
【特許文献１】特表２０１７−５０７６９４号公報
【発明の概要】
【０００４】
一方で、ウェアラブル端末装置では携帯性が重視される。そのため、小型化、軽量化が推し進められる。その結果、表示部のサイズが小さくなり、画面内容が見にくかったり、表示画面を用いた操作がしにくかったりする。これにより、ユーザの利便性が損なわれる場合がある。そのため、ウェアラブル端末装置には、携帯性とユーザの利便性との両立が求められる。
【０００５】
ある実施の形態に従うと、ウェアラブル端末装置は、第１の表示部と、外部装置と無線通信する通信部と、処理部と、を備え、処理部は、外部装置の有する第２の表示部用の画面データを生成し、通信部に外部装置に対して送信させる。
【０００６】
ある実施の形態に従うと、アプリケーションプログラムは、第１の表示部を有し、外部装置と無線通信可能なウェアラブル端末装置に搭載されたプロセッサに処理を実行させるアプリケーションプログラムであって、実行中にアプリケーション画面の表示を伴うアプリケーションプログラムであり、上記処理は、第１の表示部にアプリケーション画面を表示させる第１の画面データを生成する処理と、外部装置の有する第２の表示部にアプリケーション画面を表示させる第２の画面データを生成する処理と、外部装置に対して無線通信で、第２の画面データを送信する処理と、を含む。
【０００７】
ある実施の形態に従うと、オペレーティングシステムは、第１の表示部を有し、外部装置と無線通信可能なウェアラブル端末装置に搭載されたプロセッサに処理を実行させるプログラムを含むオペレーティングシステムであって、ウェアラブル端末装置に実行中にアプリケーション画面の表示を伴うアプリケーションがインストールされており、上記処理は、第１の表示部にアプリケーション画面を表示させる第１の画面データを生成する処理と、外部装置の有する第２の表示部に前記アプリケーション画面を表示させる第２の画面データを生成する処理と、外部装置に対して無線通信で、第２の画面データを送信する処理と、を含む。
【０００８】
ある実施の形態に従うと、表示制御方法は、無線通信可能な、第１の表示部を有するウェアラブル端末装置と、第２の表示部を有する外部装置と、を含む表示システムにおける、第２の表示部での表示を制御する方法であって、ウェアラブル端末装置の処理において、第２の表示部用の画面データを生成するステップと、ウェアラブル端末装置から外部装置に、画面データを無線通信によって送信するステップと、を備える。
【図面の簡単な説明】
【０００９】
【図１】図１は、表示システムの構成の一例を表した図である。
【図２】図２は、ウェアラブル端末装置の構成の一例を表した図である。
【図３】図３は、外部装置の構成の一例を表した図である。
【図４】図４は、ウェアラブル端末装置の制御の構成の一例を表した図である。
【図５】図５は、ウェアラブル端末装置での画面遷移の一例を表した図である。
【図６】図６は、外部装置での画面遷移の一例を表した図である。
【図７】図７は、ウェアラブル端末装置での処理の流れの一例を表したフローチャートである。
【図８】図８は、電話アプリケーション実行時の表示システムでの制御の流れの一例を表した図である。
【発明を実施するための形態】
【００１０】
［１．ウェアラブル端末装置、アプリケーションプログラム、オペレーティングシステム、及び、表示制御方法の概要］
【００１１】
（１）本実施の形態に含まれるウェアラブル端末装置は、第１の表示部と、外部装置と無線通信する通信部と、処理部と、を備え、処理部は、外部装置の有する第２の表示部用の画面データを生成し、通信部に外部装置に対して送信させる。
【００１２】
ウェアラブル端末装置は、例えば、腕時計型の端末装置が挙げられる。外部装置は、例えば、タブレット端末や表示部を有するマッサージチェアなどであって、ウェアラブル端末装置より大きい表示部を有する装置が挙げられる。ウェアラブル端末装置から第２の表示部用の画面データが送信されることで、外部装置では、画面データに基づく画面が表示部に表示される。画面データは、例えば、ウェアラブル端末装置の第１の表示部に表示される画面に応じた画面を表示させるデータである。これにより、ユーザは、ウェアラブル端末装置の第１の表示部に表示されるよりも大きな画面を見ることができる。その結果、画面の視認性や操作性を格段に向上させることができる。つまり、表示の制御を行う装置についての携帯性と、ユーザの利便性とを両立できる。
【００１３】
（２）好ましくは、ウェアラブル端末装置には１以上のアプリケーションがインストールされており、上記画面データに従って第２の表示部に表示された画面は、アプリケーションの操作用のアイコンを含み、処理部は、外部装置からのアイコンに対する操作を示す信号を受信することによってアプリケーションを実行する。これにより、ウェアラブル端末装置にインストールされているアプリケーションを、外部装置を利用して操作することができる。そのため、ユーザは、ウェアラブル端末装置の第１の表示部に表示されるよりも大きな画面を見ながらウェアラブル端末装置にインストールされているアプリケーションを操作でき、画面の視認性や操作性を格段に向上させることができる。そのため、アプリケーションがインストールされている装置についての携帯性と、ユーザの利便性とを両立できる。
【００１４】
（３）好ましくは、第１の表示部に一画面に表示される操作用のアイコンの数と、第２の表示部に一画面に表示される操作用のアイコンの数とが異なる。これにより、第１の表示部が第２の表示部よりサイズが小さくても、見難くなることが防止される。
【００１５】
（４）好ましくは、同一のアプリケーションについての、第１の表示部の画面に表示される操作用のアイコンの形状と、第２の表示部の画面に表示される操作用のアイコンの形状とが異なる。これにより、第１の表示部が第２の表示部よりサイズが小さくても、見難くなったり、タッチパネルとして操作し難くなったりすることが防止される。
【００１６】
（５）好ましくは、第１の表示部に表示される画面と第２の表示部に表示される画面とは、異なる画面遷移を有する。異なる画面遷移は、例えば、第１の表示部に表示される画面の画面遷移は時計表示画面への遷移を含むのに対して、第２の表示部に表示される画面の画面遷移は含まないこと、などである。この場合、ウェアラブル端末装置は、腕時計として利用することができる。
【００１７】
（６）好ましくは、第１の表示部の画面での操作用のアイコンのレイアウトと、第２の表示部の画面での操作用のアイコンのレイアウトとが異なる。これにより、第１の表示部が第２の表示部よりサイズが小さくても、見難くなったり、タッチパネルとして操作し難くなったりすることが防止される。
【００１８】
（７）好ましくは、ウェアラブル端末装置には実行中にアプリケーション画面の表示を伴うアプリケーションがインストールされており、処理部は、アプリケーションを実行することによって、アプリケーション画面用の画面データであって、第１の表示部にアプリケーション画面を表示させる第１の画面データと、第２の表示部にアプリケーション画面を表示させる第２の画面データと、の両画面データを生成可能である。これにより、ウェアラブル端末装置でも外部装置でもアプリケーション画面を表示させることができる。その結果、ユーザは、ウェアラブル端末装置でも外部装置でもアプリケーション画面を見ることができ、アプリケーションがインストールされている装置についての携帯性と、ユーザの利便性とを両立できる。
【００１９】
（８）好ましくは、ウェアラブル端末装置には実行中にアプリケーション画面の表示を伴うアプリケーションがインストールされており、処理部は、アプリケーションを実行することによって、アプリケーション画面用の画面データであって、第１の表示部にアプリケーション画面を表示させる第１の画面データと、第２の表示部にアプリケーション画面を表示させる第２の画面データと、のうちの一方の画面データを生成し、他方の画面データを生成しない。この場合、上記アプリケーションに対応した、他方の画面データを生成するアプリケーション（サブアプリケーション）がインストールされていてもよい。このように構成されることによって、一方の画面データを生成するアプリケーションのみについての機能の変更や追加などが容易になる。
【００２０】
（９）好ましくは、アプリケーションは、電話用のアプリケーションである。これにより、ユーザは、外部装置を用いてウェアラブル端末装置にインストールされているアプリケーションを操作して架電や通話を行うことができ、操作性と携帯性とを両立させることができる。
【００２１】
（１０）好ましくは、実行中にアプリケーション画面の表示を伴うアプリケーションがインストールされており、処理部は、オペレーティングシステムを実行することによって、アプリケーション画面用の画面データであって、第１の表示部にアプリケーション画面を表示させる第１の画面データと、第２の表示部にアプリケーション画面を表示させる第２の画面データと、の両画面データを生成可能である。これによっても、ウェアラブル端末装置でも外部装置でもアプリケーション画面を表示させることができる。その結果、ユーザは、ウェアラブル端末装置でも外部装置でもアプリケーション画面を見ることができ、アプリケーションがインストールされている装置についての携帯性と、ユーザの利便性とを両立できる。
【００２２】
（１１）好ましくは、ウェアラブル端末装置は、身体情報を測定するセンサと、センサによって測定された身体情報を記憶するメモリと、をさらに備え、外部装置がマッサージチェアである場合、処理部は、無線通信を開始する際に、通信部に外部装置に対して、メモリに記憶されている身体情報を示すデータを送信させる。これにより、ウェアラブル端末装置は、マッサージチェアでの動作に有用な情報を収集、提供できる。
【００２３】
（１２）本実施の形態に含まれるアプリケーションプログラムは、ウェアラブル端末装置を（１）〜（１１）のウェアラブル端末装置として機能させる。そのため、（１）〜（１１）のウェアラブル端末装置と同様の効果を奏する。
【００２４】
（１３）本実施の形態に含まれるオペレーティングシステムは、ウェアラブル端末装置を（１）〜（１１）のウェアラブル端末装置として機能させる。そのため、（１）〜（１１）のウェアラブル端末装置と同様の効果を奏する。
【００２５】
（１４）本実施の形態に含まれる表示制御方法は、（１）〜（１１）のウェアラブル端末装置と外部装置とを含む表示システムにおける表示制御方法である。そのため、（１）〜（１１）のウェアラブル端末装置と同様の効果を奏する。
【００２６】
［２．ウェアラブル端末装置、アプリケーションプログラム、オペレーティングシステム、及び、表示制御方法の例］
【００２７】
［第１の実施の形態］
【００２８】
＜表示システムの全体構成＞
図１に示されたように、表示システム１００は、ウェアラブル端末装置１と外部装置５とを含む。外部装置５は、例えば、タブレット端末５Ａやマッサージチェア５Ｂである。ウェアラブル端末装置１は表示部（第１の表示部）１２を有し、外部装置５は表示部（第２の表示部）５２を有する。
【００２９】
ウェアラブル端末装置１と外部装置５とは相互に無線通信可能である。ウェアラブル端末装置１と外部装置５との無線通信７は、例えば、Bluetooth（登録商標）などの近距離無線通信である。
【００３０】
＜ウェアラブル端末装置の構成＞
図２に示されたように、ウェアラブル端末装置１は、プロセッサ１０を含む。プロセッサ１０は、例えばＣＰＵ（Central  Processing  Unit）である。また、ウェアラブル端末装置１は、メモリ１１を含む。メモリ１１は、例えば、半導体記憶媒体、及び磁気記憶媒体等の任意の非一過性（non-transitory）の記憶媒体である。また、メモリ１１は、例えば、ＲＡＭ（Random Access Memory）等の一時的な記憶領域として利用される記憶媒体である。
【００３１】
メモリ１１は、プロセッサ１０で実行されるプログラムや、プログラムの実行に必要なデータを記憶する記憶領域１１１を含む。また、メモリ１１は、プロセッサ１０の処理結果を一時的に記憶する作業領域となってもよい。
【００３２】
記憶領域１１１に記憶（インストール）されているプログラムは、オペレーティングシステム（ＯＳ）Ｍ１１と、アプリケーションＭ１２と、を含む。アプリケーションＭ１２は、実行中にアプリケーション画面の表示を伴う。アプリケーション画面は、アプリケーションの実行に伴って出力される情報を表示する画面、及び、又は、アプリケーションに対する操作用のアイコンを含む画面を指す。なお、操作用のアイコンは、タッチ又は選択及び決定操作を行う、画面上の範囲を指す。
【００３３】
プロセッサ１０は、アプリケーションＭ１２を実行することで、第１表示処理Ｐ１１（図４）を実行する第１表示処理部１０１として機能する。また、プロセッサ１０は、オペレーティングシステムＭ１１を実行することで、第２表示処理Ｐ１２（図４）を実行する第２表示処理部１０２として機能する。第１表示処理Ｐ１１及び第２表示処理Ｐ１２については後述する。
【００３４】
ウェアラブル端末装置１は、さらに、外部装置５との間で無線通信７によるインタフェースとして機能する通信部１３を有する。通信部１３が外部装置５から受信した信号はプロセッサ１０に与えられる。また、プロセッサ１０から通信部１３に与えられた信号は、プロセッサ１０の制御に従って通信部１３から外部装置５に送信される。
【００３５】
ウェアラブル端末装置１は、さらに、表示部１２を有する。表示部１２は、例えば、液晶ディスプレイや、有機エレクトロルミネッセンス（ＥＬ）などである。ウェアラブル端末装置１が腕時計型である場合、表示部１２は腕の幅程度の大きさである。これにより、ウェアラブル端末装置１を腕時計として使用することができる。
【００３６】
ウェアラブル端末装置１は、さらに、マイク１４及びスピーカ１５を含んでもよい。マイク１４に入力された音声はプロセッサ１０に与えられる。また、プロセッサ１０の制御に従ってスピーカ１５は音声を出力する。
【００３７】
ウェアラブル端末装置１は、さらに、入力装置１６入力装置１６を含む。入力装置１６は、例えば、ボタンや、表示部１２と一体化されたタッチパネルや、それらの組み合わせなどである。ボタンは、例えば、側面に備えられていてもよい。これにより、ウェアラブル端末装置１を腕時計として使用する際に、腕時計の操作と同様のボタン操作でユーザ操作を行うことができる。入力装置１６に対するユーザ操作を示す信号は、入力装置１６からプロセッサ１０に与えられる。
【００３８】
＜外部装置の構成＞
図３に示されたように、外部装置５は、プロセッサ５０を含む。プロセッサ５０は、例えばＣＰＵである。また、外部装置５は、メモリ５１を含む。
【００３９】
メモリ５１は、記憶領域５１１を含み、少なくともオペレーティングシステム（ＯＳ）Ｍ５１を記憶している。プロセッサ５０は、オペレーティングシステムＭ５１を実行することで装置全体を制御する制御部５０１として機能する。
【００４０】
外部装置５は、さらに、ウェアラブル端末装置１との間で無線通信７によるインタフェースとして機能する通信部５３を有する。通信部５３がウェアラブル端末装置１から受信した信号はプロセッサ５０に与えられる。また、プロセッサ５０から通信部５３に与えられた信号は、プロセッサ５０の制御に従って通信部５３からウェアラブル端末装置１に送信される。
【００４１】
外部装置５は、さらに、表示部５２を有する。表示部５２は、例えば、液晶ディスプレイや、有機ＥＬなどである。好ましくは、表示部５２は、ウェアラブル端末装置１の表示部１２よりも大きい。これにより、ウェアラブル端末装置１の表示部１２のサイズが小さく画面表示が見難いときに、それよりもサイズの大きな外部装置５の表示部５２にウェアラブル端末装置１の表示部１２の画面を表示させることで、表示を見やすくできる。
【００４２】
外部装置５は、さらに、マイク５４及びスピーカ５５を含んでもよい。マイク５４に入力された音声はプロセッサ５０に与えられる。また、プロセッサ５０の制御に従ってスピーカ５５は音声を出力する。
【００４３】
外部装置５は、さらに、入力装置５６を含む。入力装置５６は、例えば、ボタンや、表示部５２と一体化されたタッチパネルなどである。入力装置５６に対するユーザ操作を示す信号は、入力装置５６からプロセッサ５０に与えられる。
【００４４】
＜制御構造＞
図４を参照して、ウェアラブル端末装置１のプロセッサ１０は、アプリケーションＭ１２を実行することで第１表示処理部１０１として機能し、第１表示処理Ｐ１１を実行する。第１表示処理Ｐ１１は、アプリケーションＭ１２用の画面データを生成し、画面データに基づくアプリケーション画面を表示部に表示させる処理である。画面データは、アプリケーション画面の表示用のデータである。
【００４５】
第１表示処理Ｐ１１は、ウェアラブル端末装置用表示処理Ｐ１１１と、外部装置用表示処理Ｐ１１２と、を含む。ウェアラブル端末装置用表示処理Ｐ１１１は、ウェアラブル端末装置１の表示部１２にアプリケーション画面を表示させる処理である。すなわち、第１表示処理Ｐ１１は、表示部１２用の画面データＤ１１を生成して表示部１２に渡し、画面データＤ１１に基づく表示を指示する処理である。これにより、表示部１２には画面データＤ１１に基づいたアプリケーション画面ＳＣ１１が表示される。
【００４６】
外部装置用表示処理Ｐ１１２は、外部装置５の表示部５２にアプリケーション画面を表示させる処理である。すなわち、外部装置用表示処理Ｐ１１２は、表示部５２用の画面データＤ５１、及び、表示部５２に表示を指示する制御信号（第１の信号）ＳＧ１−１を生成し、これらを通信部１３に渡して外部装置５に無線通信７で送信させる処理である。
【００４７】
外部装置５のプロセッサ５０は、オペレーティングシステムＭ５１を実行することで制御部５０１として機能し、制御処理Ｐ５１を実行する。制御処理Ｐ５１は、外部装置５全体を制御する処理である。制御処理Ｐ５１は、ウェアラブル端末装置１から受信した制御信号ＳＧ１−１に従って、画面データＤ５１に基づくアプリケーション画面ＳＣ５１を表示部５２に表示する処理を含む。これにより、表示部５２には画面データＤ５１に基づいたアプリケーション画面ＳＣ５１が表示される。
【００４８】
なお、ウェアラブル端末装置１のプロセッサ１０は、さらに、オペレーティングシステムＭ１１を実行することで第２表示処理部１０２として機能し、第２表示処理Ｐ１２を実行する。第２表示処理Ｐ１２は、表示部１２にホーム画面を表示させる処理を含む。すなわち、第２表示処理Ｐ１２は、ホーム画面ＳＣ１２用の画面データＤ１２を生成し、画面データＤ１２に基づくホーム画面ＳＣ１２を表示部１２に表示させる処理を含む。ホーム画面とは、操作画面の基本画面であって、例えば、ウェアラブル端末装置１が起動された場合に表示部１２に表示される画面である。これにより、表示部１２には画面データＤ１２に基づいたホーム画面ＳＣ１２が表示される。
【００４９】
さらに、第２表示処理Ｐ１２は、外部装置５の表示部５２にホーム画面を表示する処理を含んでもよい。すなわち、第２表示処理Ｐ１２は、表示部５２用の画面データＤ５２、及び、表示部５２に表示を指示する制御信号（第１の信号）ＳＧ１−２を生成し、これらを通信部１３に渡して外部装置５に無線通信７で送信させる処理である。
【００５０】
外部装置５のプロセッサ５０が実行する制御処理Ｐ５１は、さらに、ウェアラブル端末装置１から受信した制御信号ＳＧ１−２に従って、画面データＤ５２に基づくホーム画面ＳＣ５２を表示部５２に表示する処理を含む。これにより、表示部５２には画面データＤ５２に基づいたホーム画面ＳＣ５２が表示される。
【００５１】
外部装置５のプロセッサ５０が実行する制御処理Ｐ５１は、さらに、表示部５２に表示された画面に対するユーザ操作をウェアラブル端末装置１に通知する処理を含む。すなわち、制御処理Ｐ５１は、表示部５２に表示された画面上の操作用のアイコンに対して入力装置５６を用いたユーザ操作を受け付けると、ユーザ操作を示す信号（第２の信号）ＳＧ２を生成し、通信部５３に渡して無線通信７によってウェアラブル端末装置１に送信させる。
【００５２】
ウェアラブル端末装置１のプロセッサ１０は、外部装置５からの信号ＳＧ２がアプリケーションＭ１２の起動の指示や、アプリケーションＭ１２に対する操作を示すものであった場合、ユーザ操作に従ってアプリケーションＭ１２を実行する。プロセッサ１０がアプリケーションＭ１２を実行することで外部装置用表示処理Ｐ１１２を実行する。これにより、外部装置５の入力装置５６に対するユーザ操作に従って、表示部５２にアプリケーション画面ＳＣ５１が表示される。
【００５３】
＜画面例＞
図５に示されたように、ウェアラブル端末装置１の表示部１２には、第１のホーム画面２１が表示される。第１のホーム画面２１は、例えば、時刻表示である。これにより、ウェアラブル端末装置１は腕時計として用いることができる。
【００５４】
第１のホーム画面２１に対して所定の操作を行うことで、第１のホーム画面２１は第２のホーム画面２２に遷移する。所定の操作は、例えば、タッチパネルである表示部１２に対するフリック操作である。第２のホーム画面２２は操作画面の基本画面であって、１以上のアプリケーションの操作用のアイコン２３を含む。図５の例では、第２のホーム画面２２は、６つのアプリケーションそれぞれに対応した操作用のアイコンａ〜ｆを含む。
【００５５】
第２のホーム画面２２においてアイコン２３に対して所定の操作を行うことで、第２のホーム画面２２は、操作されたアイコン２３に対応したアプリケーション（例えばアプリケーションＭ１２）用のアプリケーション画面２４に遷移する。所定の操作は、例えば、タッチパネルである表示部１２に表示されたアイコン２３領域に対するタッチ操作である。
【００５６】
アプリケーション画面２４は、例えば、アプリケーションＭ１２がメールアプリケーションである場合のアプリケーション画面（メール画面）である。その場合、アプリケーション画面２４は、メール本文を表示する領域２５と、返信メール作成用画面への画面遷移を指示するアイコン２６と、を含む。従って、アイコン２６に対してタッチ等の所定の操作を行うことで、アプリケーション画面２４は、返信メール作成用画面（図示せず）に遷移する。また、図示しないアプリケーションへの操作の終了を指示するアイコンに対してタッチ等の所定の操作を行うことで（終了操作）、アプリケーション画面２４は第２のホーム画面２２に遷移する。
【００５７】
なお、領域２５にはメール本文の一部のみが表示されてもよい。すなわち、表示部１２には、アプリケーション画面２４の一部のみが表示されてもよい。表示部１２の表示可能な面積が制約されているためである。その場合、タッチパネルである表示部１２に対するフリック等の所定の操作を行うことで、領域２５に、メール本文の表示されていない部分が表示されてもよい。すなわち、表示部１２にアプリケーション画面２４の他の領域が表示されてもよい。これにより、小さい面積の表示部１２に、表示部１２以上の表示面積が必要なアプリケーション画面２４を表示することができる。
【００５８】
表示部１２にアプリケーション画面２４が表示された状態で所定時間、ユーザ操作が行われなかった場合、アプリケーション画面２４は第１のホーム画面２１に遷移する。また、第２のホーム画面２２が表示部１２に表示された状態で所定時間、ユーザ操作が行われなかった場合にも、第２のホーム画面２２は第１のホーム画面２１に遷移する。
【００５９】
図６に示されたように、外部装置５の表示部５２には、ホーム画面６１が表示される。ホーム画面６１は操作画面の基本画面であって、１以上のアプリケーションの操作用のアイコン６２を含む。図６の例では、ホーム画面６１は、８つのアプリケーションそれぞれに対応した操作用のアイコンＡ〜Ｈを含む。８つのアプリケーションは、ウェアラブル端末装置１にインストールされているアプリケーションＭ１２を含む。
【００６０】
ホーム画面６１においてアイコン６２に対して所定の操作を行うことで、ホーム画面６１は、操作されたアイコン６２に対応したアプリケーション画面６３に遷移する。アイコン６２に対応したアプリケーションがウェアラブル端末装置１にインストールされているアプリケーションＭ１２である場合、アプリケーション画面６３は、ウェアラブル端末装置１のプロセッサ１０によって外部装置用表示処理Ｐ１１２が実行され、画面データＤ５１が制御信号ＳＧ１−１とともに送信されたことによって表示部５２に表示される。なお、所定の操作は、例えば、タッチパネルである表示部５２に表示されたアイコン６２領域に対するタッチ操作である。
【００６１】
アプリケーション画面６３は、例えば、アプリケーションＭ１２がメールアプリケーションである場合のアプリケーション画面（メール画面）である。その場合、アプリケーション画面６３は、メール本文を表示する領域６４と、返信メール作成用画面への画面遷移を指示するアイコン６５と、他の操作として例えば転送メール作成用画面への画面遷移を指示するアイコン６６と、を含む。
【００６２】
アプリケーション画面６３においてアイコン６５に対してタッチ等の所定の操作を行うことで、アプリケーション画面６３は、返信メール作成用画面（図示せず）に遷移する。また、アプリケーション画面６３においてアイコン６６に対してタッチ等の所定の操作を行うことで、アプリケーション画面６３は、転送メール作成用画面（図示せず）に遷移する。また、図示しないアプリケーションへの操作の終了を指示するアイコンに対してタッチ等の所定の操作を行うことで（終了操作）、アプリケーション画面６３はホーム画面６１に遷移する。
【００６３】
表示部５２にアプリケーション画面６３が表示された状態で所定時間、ユーザ操作が行われなかった場合、アプリケーション画面６３はホーム画面６１に遷移する。これにより、外部装置５は、アプリケーションを使用していないときには画面表示を行わないようにさせる、又は、ホーム画面６１とすることができる。
【００６４】
図５及び図６において、同じアルファベットは同一のアプリケーションの操作用のアイコンであって、大文字が外部装置５用、小文字がウェアラブル端末装置１用のアイコンを表している。画面２２（図５）と画面６１（図６）とを比較すると、両装置の表示部の一画面に表示される操作用のアイコンの数が異なる。すなわち、操作用のアイコンの数（画面２２では６個）が表示部５２に表示されるアイコンの数（画面６１では８個）よりも少ない。これにより、ウェアラブル端末装置１の表示部１２が外部装置５の表示部５２よりサイズが小さくても、見難くなることが防止される。
【００６５】
なお、図５及び図６に示されたように、ウェアラブル端末装置１の表示部１２に表示される画面と外部装置５の表示部５２に表示される画面とは、異なる画面遷移を有する。異なる画面遷移は、ウェアラブル端末装置１の表示部１２において、図５に示されたように、アプリケーションに対する操作を所定時間、行わない場合に、アプリケーション画面２４が第１のホーム画面２１に遷移すること、又は、第２のホーム画面２２に対する操作を所定時間、行わない場合に画面２４が例えば時計表示である第１のホーム画面２１に遷移すること、である。外部装置５の表示部５２では、アプリケーションに対する操作を所定時間、行わない場合に、アプリケーション画面６３がホーム画面６１に遷移する。第１のホーム画面２１を、図５に示されたように時計表示画面とすることで、アプリケーション操作を行わないときにウェアラブル端末装置１を腕時計として用いることができる。つまり、アプリケーション操作を行わないときにウェアラブル端末装置１を他の機能をメインで使用する端末装置として用いることが可能になり、ユーザの利便性を向上させる。
【００６６】
また、画面２２（図５）と画面６１（図６）とを比較すると、両装置の表示部に表示される操作用のアイコンの形状が異なる。例えば、画面２２のアイコンの形状は横長であり、画面６１のアイコンの形状は正方形に近い。これにより、ウェアラブル端末装置１の表示部１２が外部装置５の表示部５２よりサイズが小さくても、見難くなったり、タッチパネルとして操作し難くなったりすることが防止される。
【００６７】
また、画面２４（図５）と画面６３（図６）とを比較すると、両装置の表示部に表示される操作用のアイコンのレイアウトが異なる。例えば、画面２４ではメール本文を表示する領域２５の下に返信用の画面への遷移を指示するアイコン２６が配置されているのに対して、画面６３ではメール本文を表示する領域６４の下に返信用の画面への遷移を指示するアイコン６５、及び、転送メール作成用画面への画面遷移を指示するアイコン６６が配置されている。これにより、ウェアラブル端末装置１の表示部１２が外部装置５の表示部５２よりもサイズが小さくても、見難くなったり、タッチパネルとして操作し難くなったりすることが防止される。
【００６８】
＜動作フロー＞
図７に示されたように、ウェアラブル端末装置１のプロセッサ１０は、無線通信用の設定が予め行われている外部装置５との間で無線通信７が開始すると（ステップＳ１０１でＹＥＳ）、自身にインストールされているアプリケーションの操作用のアイコンを含んだ外部装置５用のホーム画面を生成し、画面データを通信部１３に渡して外部装置５に無線通信７によって送信させる（ステップＳ１０３）。
【００６９】
プロセッサ１０は、インストールされているアプリケーションに対するユーザ操作を示す信号が入力されると（ステップＳ１０５でＹＥＳ）、対象のアプリケーションをユーザ操作に従って実行する（ステップＳ１０７）。
【００７０】
入力された信号が外部装置５から送信されたユーザ操作を示す信号であった場合（ステップＳ１０９でＹＥＳ）、プロセッサ１０は、ユーザ操作に従った実行に伴う表示画面であって、外部装置５用の画面データＤ５１を生成し（ステップＳ１１１）、通信部１３に渡して外部装置５に無線通信７によって送信させる（ステップＳ１１３）。これにより、外部装置５の表示部５２には、画面データＤ５１に基づくアプリケーション画面が表示される。
【００７１】
入力された信号が自装置の入力装置１６からのものであった場合（ステップＳ１０９でＮＯ）、プロセッサ１０は、ユーザ操作に従った実行に伴う表示画面であって、自装置用の画面データを生成し（ステップＳ１１５）、表示部１２に表示させる（ステップＳ１１７）。これにより、アプリケーションの実行に伴ってアプリケーション画面が表示部１２に表示される。
【００７２】
外部装置５でアプリケーションの操作が行われている場合には、終了を示すアイコンがタッチされる、又は、所定時間、操作がされない、などによってアプリケーションの操作が終了したことを示す信号が外部装置５から入力されるまで（ステップＳ１１９でＮＯ）、プロセッサ１０は、ステップＳ１０５以降の処理を繰り返す。つまり、外部装置５からユーザ操作を示す信号の入力を受け付けるたびにその操作に従ってアプリケーションを実行し、実行に伴うアプリケーション画面の画面データを外部装置５に送信する。
【００７３】
アプリケーションの操作の終了を示す信号が外部装置５から入力されると（ステップＳ１１９でＹＥＳ）、プロセッサ１０はステップＳ１０３の処理に戻って外部装置５用のホーム画面の画面データを通信部１３に渡して外部装置５に無線通信７によって送信させる（ステップＳ１０３）。以降、ステップＳ１０５以降の処理が実行される。これにより、外部装置５にはホーム画面が表示され、外部装置５を用いてウェアラブル端末装置１にインストールされているアプリケーションの起動や操作が可能になる。
【００７４】
これにより、ウェアラブル端末装置１にインストールされているアプリケーション画面を外部装置５の表示部５２で見ながら、外部装置５を利用してそのアプリケーションを操作することができる。外部装置５はタブレット端末などであり、ウェアラブル端末装置１よりも表示部が大きい。そのため、このような制御が行われることで、ユーザは、ウェアラブル端末装置１の表示部１２に表示されるよりも大きなアプリケーション画面を見ながらウェアラブル端末装置１にインストールされているアプリケーションを操作でき、画面の視認性や操作性を格段に向上させることができる。そのため、アプリケーションがインストールされている装置についての携帯性と、ユーザの利便性とを両立できる。
【００７５】
自装置でアプリケーションの操作が行われている場合でも、終了を示すアイコンがタッチされる、又は、所定時間、操作がされない、などによってアプリケーションの操作が終了したことを示す信号が入力装置１６から入力されるまで（ステップＳ１２１でＮＯ）、プロセッサ１０は、ステップＳ１０５以降の処理を繰り返す。これにより、ウェアラブル端末装置１では入力装置１６に対するユーザ操作に従ってアプリケーションを実行し、アプリケーション画面を表示部１２に表示させることができる。
【００７６】
アプリケーションの操作の終了を示す信号が入力装置１６から入力されると（ステップＳ１２１でＹＥＳ）、プロセッサ１０はホーム画面を表示部１２に表示させる（ステップＳ１２３）。以降、ステップＳ１０５以降の処理が実行される。これにより、表示部１２にはホーム画面が表示され、新たなアプリケーションの起動や操作が可能になる。
【００７７】
これにより、ウェアラブル端末装置１では、自装置にインストールされているアプリケーション画面を自装置の表示部１２で見ながら、入力装置１６で行うこともできる。ウェアラブル端末装置１は腕時計型などであるために携帯性が高く、簡単な画面の確認や操作の利便性が高い。そのため、この場合にも、アプリケーションがインストールされている装置についての携帯性と、ユーザの利便性とを両立できる。
【００７８】
［第２の実施の形態］
【００７９】
図２及び図４に示されたウェアラブル端末装置１のアプリケーションの構成は一例である。ウェアラブル端末装置１のプロセッサ１０が、ウェアラブル端末装置１の表示部１２へのアプリケーション画面の表示と、外部装置５へのアプリケーション画面の表示との両方を行うことができる構成であればどのような構成であってもよい。
【００８０】
他の例として、図２に示されたように、同一のアプリケーションＭ１２について、外部装置５用のアプリケーション画面を生成する機能を有する他のアプリケーション（以下、サブアプリケーション）Ｍ１２−１が用意されていてもよい。
【００８１】
この場合、プロセッサ１０は、外部装置５からユーザ操作を示す信号を受信すると、該当するアプリケーションＭ１２を実行するとともに、サブアプリケーションＭ１２−１を実行して、外部装置５用のアプリケーション画面の画面データを生成し、外部装置５に送信させる。又は、プロセッサ１０は、アプリケーションＭ１２を実行して自装置用のアプリケーション画面の画面データを生成し、サブアプリケーションＭ１２−１を実行して、外部装置５用に変換してもよい。
【００８２】
なお、他の例として、アプリケーションＭ１２とサブアプリケーションＭ１２−１との機能が上の説明の逆であってもよい。
【００８３】
これにより、ウェアラブル端末装置１用のアプリケーション画面と外部装置５用のアプリケーション画面とが異なるアプリケーションによって生成される。そのため、一方の機能のみの変更や追加を容易に行うことができる。
【００８４】
［第３の実施の形態］
【００８５】
以上の説明では、ウェアラブル端末装置１のプロセッサ１０が、ウェアラブル端末装置１にインストールされているアプリケーションＭ１２に対する操作に従ってアプリケーションＭ１２を実行するものとしている。それによって、アプリケーション画面がウェアラブル端末装置１の表示部１２、又は、外部装置５に表示される。他の例として、ウェアラブル端末装置１のプロセッサ１０がオペレーティングシステムＭ１１を実行することによって、アプリケーションＭ１２のアプリケーション画面の画面データを生成してもよい。
【００８６】
この場合、ウェアラブル端末装置１のプロセッサ１０は、上の説明中のアプリケーション画面の画面データの生成に関して、アプリケーションＭ１２をオペレーティングシステムＭ１１に置き換えた処理を実行する。すなわち、プロセッサ１０は、オペレーティングシステムＭ１１を実行することによってウェアラブル端末装置用表示処理Ｐ１１１及び外部装置用表示処理Ｐ１１２を実行する。この場合も、第１の実施の形態と同様に、アプリケーションがインストールされている装置についての携帯性と、ユーザの利便性とを両立できる。
【００８７】
［第４の実施の形態］
【００８８】
以上の説明では、アプリケーションＭ１２がメール送受信用のアプリケーションである場合を例として、外部装置５からのユーザ操作に従って実行されるアプリケーションＭ１２に伴うアプリケーション画面を外部装置５に表示するものとしている。外部装置５での出力は表示に限定されず、音声出力や、振動（バイブレーション）出力、それらの組み合わせ、などであってもよい。
【００８９】
例えば、アプリケーションＭ１２の他の例として、電話アプリケーションが挙げられる。この場合の表示システム１００での制御の流れの一例を、図８を用いて説明する。すなわち、図８を参照して、外部装置５からの操作信号に従ってウェアラブル端末装置１のプロセッサ１０が電話アプリケーションであるアプリケーションＭ１２を起動すると（ステップＳ１）、電話用の画面（アプリケーション画面）の画面データＤ５１を生成し、外部装置５に無線通信７で送信する（ステップＳ２）。これにより、外部装置５の表示装置５２には、電話用のアプリケーション画面７１が表示される。
【００９０】
アプリケーション画面７１は、電話番号を入力するための数字ボタン７２と、通話の開始、終了を指示するためのボタン７３と、を含む。アプリケーション画面７１において、ボタン７２及び／又はボタン７３に対するユーザ操作を受け付けると（ステップＳ３）、外部装置５からウェアラブル端末装置１に、ユーザ操作を示す信号ＳＧ２が無線通信７によって送信される（ステップＳ４）。信号ＳＧ２は、電話番号と、通話開始・通話終了の指示と、を含む。
【００９１】
ウェアラブル端末装置１のプロセッサ１０は信号ＳＧ２を外部装置５から受信すると、信号ＳＧ２に従って入力された電話番号に対して架電する（ステップＳ５）。架電後、マイク１４から音声入力を受け付けると（ステップＳ６）、その音声データを通話先に送信する処理（ステップＳ７）を行う。また、通話先からの音声を受信する処理（ステップＳ７）を行い、スピーカ１５から出力する（ステップＳ８）。
【００９２】
なお、好ましくは、プロセッサ１０は信号ＳＧ２を外部装置５から受信すると、表示部１２に電話アプリケーション用のアプリケーション画面７５を表示する。表示部１２に表示されるアプリケーション画面７５は、通話の終了を指示するボタン７６と、入出力させる音声の音量を調整するためのボタン７７と、を含む。これにより、アプリケーション画面７５の見やすさを確保することができる。また、ウェアラブル端末装置１を利用して通話中のユーザは、通話の終了や音量調整などの、通話中の簡易な操作を行うことができる。
【００９３】
ウェアラブル端末装置１の表示部１２は小さいため、電話番号の入力が難しい、又は、できない場合がある。また、携帯型でない装置を用いての通話は、装置を手に持ったり音声入力可能な位置に置いたり、不便な場合がある。この点、以上の処理が行われることによって、ユーザは、表示部１２よりも大きな外部装置５の表示部５２に表示された画面で電話番号を入力する操作を行うことができる。これにより、操作性が格段に向上する。また、音声入出力は、ユーザが身に着けているウェアラブル端末装置１を利用することで、通話の際の携帯性を格段に向上させることができる。
【００９４】
［第５の実施の形態］
【００９５】
なお、ウェアラブル端末装置１は、図２に示されたように、ユーザの身体情報を測定するセンサ１７をさらに有してもよい。そして、ウェアラブル端末装置１にインストールされているアプリケーションＭ１２は、さらに、ユーザの身体情報を収集する機能を有するアプリケーションを含んでもよい。身体情報は、例えば、歩数、血圧、及び、脈拍、などである。この場合、ウェアラブル端末装置１のメモリ１１は、図２に示されたように、測定された身体情報を記憶するための記憶領域である身体情報記憶部１１２をさらに含む。
【００９６】
特に外部装置５がマッサージチェア５Ｂのときには、ウェアラブル端末装置１のプロセッサ１０は、上の説明と同じ処理に加えて、収集したユーザの身体情報をマッサージチェア５Ｂに送信する処理を行ってもよい。送信する処理は、例えば、マッサージチェア５Ｂとの無線通信７が開始した時点、所定の時間間隔、などで実行される。これにより、ウェアラブル端末装置１は、マッサージチェア５Ｂでの動作に有用な情報を収集、提供できる。
【００９７】
本発明は、上記の実施の形態に限定されるものではなく、様々な変形が可能である。
【符号の説明】
【００９８】
１          ：ウェアラブル端末装置
５          ：外部装置
５Ａ        ：タブレット端末
５Ｂ        ：マッサージチェア
７          ：無線通信
１０        ：プロセッサ
１１        ：メモリ
１２        ：表示部
１３        ：通信部
１４        ：マイク
１５        ：スピーカ
１６        ：入力装置
１７        ：センサ
２１        ：第１のホーム画面
２２        ：第２のホーム画面
２３        ：アイコン
２４        ：アプリケーション画面
２５        ：領域
２６        ：アイコン
５０        ：プロセッサ
５１        ：メモリ
５２        ：表示部
５３        ：通信部
５４        ：マイク
５５        ：スピーカ
５６        ：入力装置
６１        ：ホーム画面
６２        ：アイコン
６３        ：アプリケーション画面
６４        ：領域
６５        ：アイコン
６６        ：アイコン
７１        ：アプリケーション画面
７２        ：数字ボタン
７３        ：ボタン
７５        ：アプリケーション画面
７６        ：ボタン
７７        ：ボタン
１００      ：表示システム
１０１      ：第１表示処理部
１０２      ：第２表示処理部
１１１      ：記憶領域
１１２      ：身体情報記憶部
５０１      ：制御部
５１１      ：記憶領域
Ｄ１１      ：画面データ
Ｄ１２      ：画面データ
Ｄ５１      ：画面データ
Ｄ５２      ：画面データ
Ｍ１１      ：オペレーティングシステム
Ｍ１２      ：アプリケーション
Ｍ１２−１  ：サブアプリケーション
Ｐ１１      ：第１表示処理
Ｐ１１１    ：ウェアラブル端末装置用表示処理
Ｐ１１２    ：外部装置用表示処理
Ｐ１２      ：第２表示処理
Ｐ５１      ：制御処理
ＳＣ１１    ：アプリケーション画面
ＳＣ１２    ：ホーム画面
ＳＣ５１    ：アプリケーション画面
ＳＣ５２    ：ホーム画面
ＳＧ１−１  ：制御信号
ＳＧ１−２  ：制御信号
ＳＧ２      ：信号
【図１】
2020135451.tif 000003
【図２】
2020135451.tif 000004
【図３】
2020135451.tif 000005
【図４】
2020135451.tif 000006
【図５】
2020135451.tif 000007
【図６】
2020135451.tif 000008
【図７】
2020135451.tif 000009
【図８】
2020135451.tif 000010